(57)【要約】【課題】一つの柄に対して、熊手、鋸、スコップといった任意の機能を備えた手工具主体を着脱自在とし、複数種類の手工具として使用できる柄の構造を実現する。【解決手段】先端に係止部を形成した柄と、基端に前記柄の係止部に対する挿入部を形成した手工具主体とで構成する。柄１の係止部２は、手工具主体３の挿入部４が挿入される筒状とし、柄１の係止部２にストッパー５を配置する。ストッパー５は、柄１の軸方向と直交する方向に一定範囲を移動し、バネ６によって一方向に付勢するものであって、このストッパー５には、バネ６の弾発力に抗して押圧した状態で、手工具主体３の挿入部４が嵌挿される貫通孔７を穿設するとともに、手工具主体３の挿入部４に、柄１の係止部２に挿入した位置において、前記ストッパー５に穿設した貫通孔７の内周縁部分が嵌合する切欠部８を設ける。【選択図】  図３
0003137163.tif 000002
【実用新案登録請求の範囲】
【請求項１】
先端に係止部を形成した柄と、基端に前記柄の係止部に対する挿入部を形成した手工具主体とで構成し、前記柄の係止部は前記手工具主体の挿入部が挿入される筒状とし、該柄の係止部に軸方向と直交する方向に一定範囲を移動し、バネによって一方向に付勢されるストッパーを配置し、該ストッパーに前記バネの弾発力に抗して押圧した状態で手工具主体の挿入部が嵌挿される貫通孔を穿設するとともに、手工具主体の挿入部に、柄の係止部に対する挿入位置において、前記ストッパーに穿設した貫通孔の内周縁部分が嵌合する切欠部を設けたことを特徴とする手工具の柄構造。
【請求項２】
手工具主体の挿入部に形成する切欠部は、ストッパーに穿設した貫通孔の曲率半径と一致する円弧状であることを特徴とする請求項１記載の手工具の柄構造。
【請求項３】
先端に係止部を形成する柄は、係止する手工具主体に応じて伸縮自在に構成したことを特徴とする請求項１又は２記載の手工具の柄構造。
【考案の詳細な説明】
【技術分野】
【０００１】
この考案は一つの柄に対して、熊手、鋸、スコップといった任意の機能を備えた手工具主体を着脱自在に装着することによって、複数種類の手工具として使用することができる、手工具の柄構造に関する考案である。
【背景技術】
【０００２】
従来から、スコップや箒などの手工具において、手工具の主体部分を柄に対して着脱可能とする思想は知られている。例えば、特許文献１には、柄杆に対してスコップ板を着脱自在とし、スコップ板をはずした状態で柄杆を他の工具として使用する思想が、特許文献２には、二重管とした柄の先端に熊手とほうきを着脱可能に取り付け、熊手と箒の一体型掃除具の思想が、特許文献３には、柄の先端に固定する作用部を着脱自在に構成し、作用部として角型スコップ、剣先スコップ、雪用スコップ、農業用フォークなどに取り替えて使用する思想が開示されている。また、特許文献４には、柄に対して穂先部分を着脱自在とするカートリッジ式箒の思想が開示されている。
【特許文献１】特開２００１―８１８０２号公報
【特許文献２】特開２００２―３０２９２０号公報
【特許文献３】特開２００４―７６５３６号公報
【特許文献４】特開２００６―１４１９１７号公報
【考案の開示】
【考案が解決しようとする課題】
【０００３】
柄の先端に固定する手工具主体を着脱する従来の構造は、例えば特許文献１ではネジ式としナット筒９で締付け固定し、特許文献２では、柄の先端に設けた装着板に対してボルト締めによって固定している。特許文献３に開示された構造では、柄とスコップなどの作用部にボルト状の貫通部を貫通させ、ナット状の締付け部材で固定している。また、特許文献４に開示される箒では、穂先のカートリッジをネジによって固定する構造が開示されている。
【０００４】
前記、特許文献１ないし４に記載された従来技術は、いずれもスコップや箒といった手工具主体を、柄に対してネジ止めやビス、ボルト止めするものであるため、取替えに手数を要するとともに、締め具合によって手工具主体がガタついて安定し難い欠点がある。
上記、従来技術の欠点に鑑み、本考案は適宜必要な手工具主体の取り替えがワンタッチで簡単に行え、しかも装着した手工具主体が安定する手工具の柄構造、具体的には柄と手工具主体との取付け構造を実現することを目的とするものである。
【課題を解決するための手段】
【０００５】
上記目的を達成するために、請求項１記載の考案は、熊手、鋸、スコップなどの手工具を、先端に係止部２を形成した柄１と、基端に前記柄１の係止部２に対する挿入部４を形成した手工具主体３とで構成する。柄１の係止部２は、手工具主体３の挿入部４が挿入される筒状とし、柄１の係止部２にストッパー５を配置する。ストッパー５は、柄１の軸方向と直交する方向に一定範囲を移動し、バネ６によって一方向に付勢するものであって、このストッパー５には、バネ６の弾発力に抗して押圧した状態で、手工具主体３の挿入部４が嵌挿される貫通孔７を穿設するとともに、手工具主体３の挿入部４に、柄１の係止部２に挿入した位置において、前記ストッパー５に穿設した貫通孔７の内周縁部分が嵌合する切欠部８を設けておく。
【０００６】
請求項２記載の考案は、手工具主体３の挿入部４に形成する切欠部８の形状を、ストッパー５に穿設した貫通孔７の曲率半径と一致する円弧状とすること、請求項３記載の考案は、先端に係止部２を形成する柄１を、係止する手工具主体３に応じて伸縮自在に構成することである。
【考案の効果】
【０００７】
請求項１記載の本考案手工具の柄構造によれば、柄１の先端に形成した係止部２に、手工具主体３の挿入部を挿入し、係止部２に設けたストッパー５の貫通孔７の内周縁を手工具主体の挿入部４の切欠部８に嵌合させるだけで、柄１に対して手工具主体３を確実に固定し、バネ６の弾発力によって嵌合状態が維持される。手工具主体３を取り外す場合は、バネ６の弾発力に抗してストッパー５を押し下げることによって簡単に取り外すことができる。
【０００８】
請求項２記載の考案によれば、ストッパー５の貫通孔７と、手工具主体３の挿入部４の切欠部８の嵌合状態が、常に一定位置で安定し柄１と手工具主体３を安定的に固定することができる。請求項３記載の考案によれば、係止する手工具主体３に応じて柄１を伸縮自在とすることによって、長い柄を必要とする手工具と短い柄を必要とする手工具のいずれにも使用することができる効果がある。
【考案を実施するための最良の形態】
【０００９】
以下、本考案に係る手工具の柄構造の実施形態を添付の図面に基づいて説明する。
図１は柄と手工具主体を分離した状態を示す正面図、図２は柄と手工具主体の連結部分のみの拡大平面図、図３は図２のIII−III線断面図である。
【００１０】
図１に示す実施形態の手工具は、柄１と手工具主体３とで構成し、柄１の先端に手工具主体を装着して任意の手工具として使用する。手工具主体３は、図１において熊手Ａと鋸Ｂを例示している。手工具主体３としては、ショベルやスコップ、フォークなど柄の先端に装着して使用する、任意の手工具に応用することができる。
【００１１】
柄１は、一体物であってもよいが、図示実施形態では、細径のパイプ1Aを太径のパイプ1Bに挿入して伸縮自在とし、固定具９によって任意位置で固定することができる伸縮パイプで構成している。太径のパイプ1Bの基端部には、把持部10を設けるとともに、細径のパイプ1Aの先端部には手工具主体３の係止部２を配置している。また、手工具主体３の基部には、柄１の係止部２に挿入するための挿入部４を設けているが、この挿入部４の形状、寸法は手工具主体３の種類に拘わらず共通としておく。
【００１２】
柄１の先端に配置する係止部２は、図２、図３から理解されるように、細径のパイプ1Aの先端をインサートした合成樹脂製の筒状であって、細径のパイプ1Aの内径と同じ内径の挿入孔11がパイプ1Aと同軸に連続的に形成してあり、手工具主体３の挿入部４を挿入することができるようにしている。すなわち、手工具主体３の挿入部４の外径は、挿入孔11に遊嵌挿できる外径に形成している。
【００１３】
また、係止部２は、その前半部に膨らみを持たせた大径とし、この大径部分にストッパー５を配置している。ストッパー５は、一定の厚みの板状であって、柄１の軸方向と直交する方向に、図面上係止部２に対して上方から挿入し、上下方向に一定範囲を移動可能とし、バネ６によって上方に付勢している。このストッパー５には、バネ６の弾発力に抗して押圧した状態で、係止部２の挿入孔11と一致する貫通孔７を設けている。したがって、ストッパー５をバネ６の弾発力に抗して押圧した状態で、手工具主体３の挿入部４を自由に抜き差しすることができる。
【００１４】
この状態で、手工具主体３の挿入部４には、柄１の係止部２に対する挿入位置、具体的には最終の挿入位置において、ストッパー５に穿設した貫通孔７の内周縁部分が嵌合する切欠部８を設けている。この切欠部８は、ストッパー５に穿設した貫通孔７の曲率半径と一致する円弧状であって、図９に示すように幅Ｗはストッパー５の厚みＴと一致させている。
【００１５】
手工具主体３の挿入部４は、その先端形状を球面に形成するとともに、挿入部４の断面形状からはみ出さない状態で掛け部12を成型している。また、挿入部４の基端部に、比較的短い係止リブ13、13を左右両側に設けるとともに、図６に示すように係止部２の先端開口部に、係止リブ13、13が係合する係止溝14、14を形成している。
【００１６】
上記構造とすることによって、手工具主体３を柄１に取り付ける場合は、手工具主体３の挿入部４を、柄１の係止部２の開口端から挿入することによって、挿入部４先端の球面形状によってストッパー５が自然に押し下げられて挿入され、最終の装着位置に達すると、ストッパー５がバネ６の力によって押し上げられて切欠部８に嵌合して安定的に係止される。このとき、挿入部４基端の係止リブ13が、係止部２の開口端部分に形成した係止溝14に係合し、手工具主体３の回動を防止し、より安定的に装着状態を維持することになる。
【００１７】
柄１に装着されている手工具主体３を取り外す場合は、ストッパー５を手指で押し下げることによって、手工具主体３の切欠部８とストッパー５の嵌合状態か外れ、手工具本体の挿入部４を柄１の係止部２から抜き出すことができる。抜き出した手工具本体３は、掛け部12を利用して吊り下げて保管することができ、必要に応じて別の手工具本体３と取り替えて装着することができる。
【００１８】
柄１は、一定の長さの一体物であってもよいが、先に述べたように図示実施形態では柄１を伸縮自在としている。柄１を伸縮自在とすることは、各種の手工具主体に対応することができ、その利用範囲を広げる上において有効である。例えば、スコップやショベルはある程度短く、箒や熊手では長くすることによって使い勝手の良いものとなる。また鋸などでは、柄を短くして手持ち状態で板などを切断するため、柄を長くして立ち木の高枝選定用の鋸として利用することができる。
【図面の簡単な説明】
【００１９】
【図１】図１は、柄と手工具主体を分離した状態を示す正面図、
【図２】図２は、柄と手工具主体の連結部分のみの拡大平面図、
【図３】図３は、柄のみを切断した図２のIII−III線断面図、
【図４】図４は、図２のIV−IV線断面図、
【図５】図５は、柄の係止部分のみの正面図、
【図６】図６は、柄の係止部分のみの左側面図、
【図７】図７は、手工具主体の挿入部のみの平面図、
【図８】図８は、図７のVIII−VIII線断面図、
【図９】図９は、図２の状態から手工具主体を抜き出す状態を示す、柄の係止部の縦断面図。
【符号の説明】
【００２０】
１…柄、  ２…係止部、  ３…手工具主体、  ４…挿入部、  ５…ストッパー、  ６…バネ、  ７…貫通孔、  ８…切欠部、  ９…固定具、  10…把持部、  11…挿入孔、  12…掛け部、  13…係止リブ、  14…係止溝、  1A、1B…パイプ、  Ａ…熊手、  Ｂ…鋸。
【図１】
0003137163.tif 000003
【図２】
0003137163.tif 000004
【図３】
0003137163.tif 000005
【図４】
0003137163.tif 000006
【図５】
0003137163.tif 000007
【図６】
0003137163.tif 000008
【図７】
0003137163.tif 000009
【図８】
0003137163.tif 000010
【図９】
0003137163.tif 000011